(57)【要約】    【課題】  表示装置を長時間使用しても入出力インターフェース部に埃がたまるのを抑制して、入出力インターフェース部における接触不良やさびの発生を抑制することが可能な表示装置を提供する。    【解決手段】  プロジェクションユニット１２０と、外部から空気を取り入れるための空気取入口１５０及び外部に空気を排出するための空気排出口１６０を有する冷却装置と、外部機器との接続に用いるための入出力インターフェース部１７０とを備える表示装置としてのプロジェクションテレビ１００において、空気排出口１６０は、入出力インターフェース部１７０に向けて空気が排出される位置に設けられていることを特徴とするプロジェクションテレビ。【選択図】  図１
2006293119.tif 000002
【特許請求の範囲】
【請求項１】
表示部本体と、
外部から空気を取り入れるための少なくとも１つの空気取入口及び外部に空気を排出するための少なくとも１つの空気排出口を有する冷却装置と、
外部機器との接続に用いるための入出力インターフェース部とを備える表示装置において、
前記空気排出口は、前記入出力インターフェース部に向けて空気が排出される位置に設けられていることを特徴とする表示装置。
【請求項２】
請求項１に記載の表示装置において、
前記空気排出口から排出される空気を前記入出力インターフェース部に向けて導くための導流手段をさらに備えることを特徴とする表示装置。
【請求項３】
請求項１又は２に記載の表示装置において、
前記空気排出口から排出される空気に含まれる塵埃を少なくするフィルタをさらに備えることを特徴とする表示装置。
【請求項４】
請求項１〜３のいずれかに記載の表示装置において、
前記空気排出口から排出される空気の温度を下げる放熱手段をさらに備えることを特徴とする表示装置。
【請求項５】
請求項１〜４のいずれかに記載の表示装置において、
前記空気排出口から排出される空気に含まれる電荷を少なくする除電装置をさらに備えることを特徴とする表示装置。
【請求項６】
請求項１〜５のいずれかに記載の表示装置において、
前記表示装置は、プロジェクションテレビであることを特徴とする表示装置。
【請求項７】
表示面を備えた表示部本体と、
外部から空気を取り入れるための少なくとも１つの空気取入口及び外部に空気を排出するための少なくとも１つの空気排出口を有する冷却装置と、
前記空気排出口から排出される空気に含まれる電荷を少なくする除電装置とを備える表示装置であって、
前記空気排出口は、前記表示面に向けて空気が排出されるように構成されていることを特徴とする表示装置。
【請求項８】
請求項７に記載の表示装置において、
前記表示装置は、ＣＲＴテレビであることを特徴とする表示装置。
【発明の詳細な説明】
【技術分野】
【０００１】
本発明は、表示装置に関する。 
【背景技術】
【０００２】
従来、プロジェクションテレビは、表示部本体としてのプロジェクションユニットと、外部から空気を取り入れるための空気取入口及び外部に空気を排出するための空気排出口を有する冷却装置と、外部機器との接続に用いるための入出力インターフェース部とを備えている。
【０００３】
従来のプロジェクションテレビにおいては、空気取入口から導入された空気は、スクリーンの前面に沿う方向に流れて内部を冷却し、最終的には空気排出口から排出される。このため、従来のプロジェクションテレビによれば、空気排出口から排出される空気が空気取入口に再び入り込むことが防止され、常に新鮮な空気を導入して内部を効率的に冷却できるようになる（例えば、特許文献１参照。）。
【０００４】
【特許文献１】特開２００３−３３７３７７号公報
【発明の開示】
【発明が解決しようとする課題】
【０００５】
しかしながら、このようなプロジェクションテレビを長時間使用すると、入出力インターフェース部に埃がたまってしまう。このため、入出力インターフェース部において接触不良やさびが発生し易くなるという問題があった。このような問題は、プロジェクションテレビにだけ生じる問題ではなく、液晶テレビ、プラズマテレビ、ＣＲＴテレビなどの表示装置においても一般的に生じる問題である。
【０００６】
そこで、本発明は、このような問題を解決するためになされたもので、表示装置を長時間使用しても入出力インターフェース部に埃がたまるのを抑制して、入出力インターフェース部における接触不良やさびの発生を抑制することが可能な表示装置を提供することを目的とする。
【課題を解決するための手段】
【０００７】
本発明の表示装置は、表示部本体と、外部から空気を取り入れるための少なくとも１つの空気取入口及び外部に空気を排出するための少なくとも１つの空気排出口を有する冷却装置と、外部機器との接続に用いるための入出力インターフェース部とを備える表示装置において、空気排出口は、入出力インターフェース部に向けて空気が排出される位置に設けられていることを特徴とする。
【０００８】
このため、本発明の表示装置によれば、入出力インターフェース部は、表示装置を使用するたびに空気排出口から排出される空気に曝されるようになるため、入出力インターフェース部に埃がたまることが抑制され、入出力インターフェース部における接触不良やさびの発生を抑制することが可能になる。
【０００９】
本発明の表示装置においては、空気排出口から排出される空気を入出力インターフェース部に向けて導くための導流手段をさらに備えることが好ましい。
【００１０】
このため、本発明の表示装置によれば、上記した導流手段の働きにより、空気排出口から排出される空気は、入出力インターフェース部に向けて効率良く導かれるようになり、入出力インターフェース部に埃がたまることがさらに効果的に抑制されるようになる。
【００１１】
本発明の表示装置においては、上記した導流手段は、空気排出口と入出力インターフェース部との間に設けられることが好ましい。
【００１２】
本発明の表示装置においては、空気排出口から排出される空気に含まれる塵埃を少なくするフィルタをさらに備えることが好ましい。
【００１３】
このため、本発明の表示装置によれば、上記したフィルタの働きにより、空気排出口から排出される空気が清浄化され、入出力インターフェース部に埃がたまることがさらに効果的に抑制されるようになる。
【００１４】
本発明の表示装置においては、上記したフィルタは、空気取入口と空気排出口との間に設けられていてもよいし、空気排出口と入出力インターフェース部との間に設けられていてもよい。
【００１５】
本発明の表示装置においては、冷却装置において空気を流通させるため、通常送風ファンが設けられている。このため、上記のようにフィルタが設けられていたとしても、十分な風量を確保することができる。
なお、本発明の表示装置において、空気排出口が複数設けられている場合には、すべての空気排出口が入出力インターフェース部に埃がたまらないような位置に配置されている必要はない。例えば、そのうち一つ以上の空気排出口が他の位置に配置されていてもよい。
【００１６】
本発明の表示装置においては、空気排出口から排出される空気の温度を下げる放熱手段をさらに備えることが好ましい。
【００１７】
本発明の表示装置においては、上述したように、空気排出口は、入出力インターフェース部に向けて空気が排出される位置に設置されているが、空気排出口からは、光源ランプや液晶装置などによって暖められた空気が排出されることになるため、入出力インターフェース部の温度が不必要に高くなるおそれが生じる。
しかしながら、本発明の表示装置によれば、上記した放熱手段の働きにより、空気排出口から排出される空気の温度を下げることが可能になるため、入出力インターフェース部の温度が不必要に高くなることが抑制される。
【００１８】
本発明の表示装置においては、上記した放熱手段として、空気の流れに沿って設けられた放熱スリットや空気の流れの中に設けられた放熱フィンを好ましく用いることができる。放熱スリットや放熱フィンは、熱伝導性や放熱性の観点から見て、金属製であることが好ましい。
また、本発明の表示装置においては、上記した放熱手段は、空気排出口と入出力インターフェース部との間に設けることが好ましい。
【００１９】
本発明の表示装置においては、空気排出口から排出される空気に含まれる電荷を少なくする除電装置をさらに備えることが好ましい。
【００２０】
このため、本発明の表示装置によれば、上記した除電装置の働きにより、入出力インターフェース部における静電気の発生が抑制されるようになるため、さらには入出力インターフェース部において既に静電気が発生していたとしてもその静電気が除去されるようになるため、入出力インターフェース部に埃がたまることがさらに効果的に抑制されるようになる。
【００２１】
本発明の表示装置においては、上記した除電装置は、空気取入口と空気排出口との間に設けられていてもよいし、空気排出口と入出力インターフェース部との間に設けられていてもよい。
【００２２】
本発明の表示装置においては、表示装置は、プロジェクションテレビであることが好ましい。
【００２３】
プロジェクションテレビに用いられる冷却装置としては、上記したように光源ランプや液晶装置を冷却するために冷却能力の比較的高い冷却装置が用いられている。このため、プロジェクションテレビの場合においては、空気排出口から排出される空気の流れは比較的強いものとなる。その結果、上記のように構成することにより、入出力インターフェース部に埃がたまることがより効果的に抑制され、入出力インターフェース部における接触不良やさびの発生をより効果的に抑制することが可能になる。
【００２４】
本発明の他の表示装置は、表示面を備えた表示部本体と、外部から空気を取り入れるための少なくとも１つの空気取入口及び外部に空気を排出するための少なくとも１つの空気排出口を有する冷却装置と、空気排出口から排出される空気に含まれる電荷を少なくする除電装置とを備える表示装置であって、空気排出口は、表示面に向けて空気が排出されるように構成されていることを特徴とする。
【００２５】
このため、本発明の他の表示装置によれば、表示面は、表示装置を使用するたびに空気排出口から排出される空気に曝されるようになるため、表示面に埃が付着することが抑制され、表示品質が向上する。
【００２６】
本発明の他の表示装置においては、表示装置は、ＣＲＴテレビであることが好ましい。
【００２７】
ＣＲＴテレビには、静電気により表示面に埃がたまりやすいという問題がある。このため、本発明の表示装置がＣＲＴテレビである場合に、上記した表示品質が向上するという効果が大きいものとなる。
【発明を実施するための最良の形態】
【００２８】
以下、本発明の表示装置について、図に示す実施の形態に基づいて説明する。
【００２９】
〔実施形態１〕
図１及び図２は、実施形態１に係るプロジェクションテレビ１００を説明するために示す図である。図１（ａ）はプロジェクションテレビ１００の背面図であり、図１（ｂ）はプロジェクションテレビ１００を側面側から見た断面図である。図２（ａ）はプロジェクションテレビ１００の要部を示す背面図であり、図２（ｂ）は図２（ａ）のＡ１−Ａ１断面図である。
【００３０】
本発明の表示装置としてのプロジェクションテレビ１００は、図１及び図２に示すように、表示部本体としてのプロジェクションユニット１２０と、外部から空気を取り入れるための空気取入口１５０及び外部に空気を排出するための空気排出口１６０を有しプロジェクションユニット１２０を冷却するための冷却装置（図示せず。）と、チューナ、ＤＶＤ、ＶＴＲ、スピーカ、ゲーム機器などの外部機器との接続に用いるための入出力インターフェース部１７０とを備えている。
【００３１】
プロジェクションユニット１２０は、光源ランプ（図示せず。）と、この光源ランプから射出される照明光束を変調する液晶装置（図示せず。）と、この液晶装置で変調された照明光束を投写する投写レンズ１２２とを備えている。冷却装置は、プロジェクションユニット１２０の光源ランプや液晶装置を冷却する働きをする。入出力インターフェース部１７０は、チューナ、ＤＶＤ、ＶＴＲ、スピーカ、ゲーム機器などの外部機器との接続に用いられる。
【００３２】
プロジェクションテレビ１００においては、図２（ａ）に示すように、空気排出口１６０は、入出力インターフェース部に向けて空気が排出される位置に設けられている。
また、空気排出口１６０と入出力インターフェース部１７０との間には、空気排出口１６０から排出される空気を入出力インターフェース部１７０に向けて導くための導流手段１８０が設けられている。
導流手段１８０は、図２（ｂ）に示すように、空気排出口１６０から外部に排出される空気を、下方方向に向けて折り曲げて、入出力インターフェース部１７０に向けて導く。
【００３３】
このため、実施形態１に係るプロジェクションテレビ１００によれば、入出力インターフェース部１７０は、プロジェクションテレビ１００を使用するたびに空気排出口１６０から排出される空気に曝されるようになるため、入出力インターフェース部１７０に埃がたまることが抑制され、入出力インターフェース部１７０における接触不良やさびの発生を抑制することが可能になる。
【００３４】
また、実施形態１に係るプロジェクションテレビ１００によれば、導流手段１８０の働きにより、空気排出口１６０から排出される空気は、入出力インターフェース部１７０に向けて効率良く導かれるようになり、入出力インターフェース部１７０に埃がたまることがさらに効果的に抑制されるようになる。
【００３５】
また、プロジェクションテレビ１００に用いる冷却装置は、光源ランプや液晶装置を冷却するために比較的能力の高い冷却装置であるため、空気排出口から排出される空気の流れは比較的強いものとなる。このため、実施形態１に係るプロジェクションテレビ１００によれば、入出力インターフェース部１７０に埃がたまることがより効果的に抑制され、入出力インターフェース部１７０における接触不良やさびの発生をより効果的に抑制することが可能になる。
【００３６】
〔実施形態２〕
図３は、実施形態２に係るプロジェクションテレビ１００ａを説明するために示す図である。図３（ａ）はプロジェクションテレビ１００ａの要部を示す背面図であり、図３（ｂ）は図３（ａ）のＡ２−Ａ２断面図である。
【００３７】
実施形態２に係るプロジェクションテレビ１００ａ（図示せず。）は、図３に示すように、基本的には実施形態１に係るプロジェクションテレビ１００と同様の構成を有しているが、空気排出口１６０から排出される空気の温度を下げる放熱手段としての放熱スリット１８２をさらに備えている点で、実施形態１に係るプロジェクションテレビ１００の場合とは異なっている。
【００３８】
放熱スリット１８２は、熱伝導率が高く放熱性の良い銅からなり、図３（ｂ）に示すように、空気排出口１６０と入出力インターフェース部１７０との間に、空気排出口１６０から排出される空気の流れに沿って設けられている。
【００３９】
このように、実施形態２に係るプロジェクションテレビ１００ａは、上記した放熱スリット１８２をさらに備えている点で、実施形態１に係るプロジェクションテレビ１００の場合とは異なるが、実施形態１に係るプロジェクションテレビ１００の場合と同様に、空気排出口１６０は、入出力インターフェース部１７０に向けて空気が排出される位置に設けられているため、入出力インターフェース部１７０は、プロジェクションテレビ１００を使用するたびに空気排出口１６０から排出される空気に曝されるようになる。このため、実施形態１に係るプロジェクションテレビ１００の場合と同様に、入出力インターフェース部１７０に埃がたまることが抑制され、入出力インターフェース部１７０における接触不良やさびの発生を抑制することが可能になる。
【００４０】
また、実施形態２に係るプロジェクションテレビ１００ａによれば、空気排出口１６０と入出力インターフェース部１７０との間に放熱スリット１８２をさらに備えているため、この放熱スリット１８２の働きにより、空気排出口１６０から排出される空気の温度を下げることが可能になるため、入出力インターフェース部１７０の温度が不必要に高くなることが抑制されるという効果を有する。
【００４１】
〔実施形態３〕
図４は、実施形態３に係るプロジェクションテレビ１００ｂを説明するために示す図である。図４（ａ）はプロジェクションテレビ１００ｂの要部を示す背面図であり、図４（ｂ）は図４（ａ）のＡ３−Ａ３断面図である。
【００４２】
実施形態３に係るプロジェクションテレビ１００ｂ（図示せず。）は、図４に示すように、基本的には実施形態２に係るプロジェクションテレビ１００ａと同様の構成を有しているが、空気排出口１６０から排出される空気の温度を下げる放熱手段として、放熱スリット１８２の代わりに放熱フィン１８４を備えている点で、実施形態２に係るプロジェクションテレビ１００ａの場合とは異なっている。
【００４３】
放熱フィン１８４は、熱伝導率が高く放熱性の良い銅からなり、図４（ｂ）に示すように、空気排出口１６０と入出力インターフェース部１７０との間に、空気排出口１６０から排出される空気の流れの中に設けられている。
【００４４】
このように、実施形態３に係るプロジェクションテレビ１００ｂは、放熱スリット１８２の代わりに放熱フィン１８４を備えている点で、実施形態２に係るプロジェクションテレビ１００ａの場合とは異なるが、実施形態２に係るプロジェクションテレビ１００ａの場合と同様に、空気排出口１６０は、入出力インターフェース部１７０に向けて空気が排出される位置に設けられているため、入出力インターフェース部１７０は、プロジェクションテレビ１００ｂを使用するたびに空気排出口１６０から排出される空気に曝されるようになる。このため、実施形態２に係るプロジェクションテレビ１００ａの場合と同様に、入出力インターフェース部１７０に埃がたまることが抑制され、入出力インターフェース部１７０における接触不良やさびの発生を抑制することが可能になる。
【００４５】
また、実施形態３に係るプロジェクションテレビ１００ｂは、空気排出口１６０と入出力インターフェース部１７０との間に放熱フィン１８４をさらに備えているため、この放熱フィン１８４の働きにより、空気排出口１６０から排出される空気の温度を下げることが可能になるため、実施形態２に係るプロジェクションテレビ１００ａの場合と同様に、入出力インターフェース部１７０の温度が不必要に高くなることが抑制されるという効果を有する。
【００４６】
〔実施形態４〕
図５は、実施形態４に係るプロジェクションテレビ１００ｃを説明するために示す図である。図５（ａ）はプロジェクションテレビ１００ｃの要部を示す背面図であり、図５（ｂ）は図５（ａ）のＡ４−Ａ４断面図である。
【００４７】
実施形態４に係るプロジェクションテレビ１００ｃ（図示せず。）は、図５に示すように、基本的には実施形態２に係るプロジェクションテレビ１００ａと同様の構成を有しているが、空気排出口１６０から排出される空気に含まれる塵埃を少なくするフィルタ１８６をさらに備えている点で、実施形態２に係るプロジェクションテレビ１００ａの場合とは異なっている。
【００４８】
フィルタ１８６は、図５（ｂ）に示すように、空気排出口１６０の開口部に設けられている。フィルタ１８６の風上側には、風量を確保するための送風ファン１８８が設けられている。
【００４９】
このように、実施形態４に係るプロジェクションテレビ１００ｃは、空気排出口１６０から排出される空気に含まれる塵埃を少なくするフィルタ１８６をさらに備えている点で、実施形態２に係るプロジェクションテレビ１００ａの場合とは異なるが、実施形態２に係るプロジェクションテレビ１００ａの場合と同様に、空気排出口１６０は、入出力インターフェース部１７０に向けて空気が排出される位置に設けられているため、入出力インターフェース部１７０は、プロジェクションテレビ１００ｃを使用するたびに空気排出口１６０から排出される空気に曝されるようになる。このため、実施形態２に係るプロジェクションテレビ１００ａの場合と同様に、入出力インターフェース部１７０に埃がたまることが抑制され、入出力インターフェース部１７０における接触不良やさびの発生を抑制することが可能になる。
【００５０】
また、実施形態４に係るプロジェクションテレビ１００ｃは、空気排出口１６０から排出される空気に含まれる塵埃を少なくするフィルタ１８６をさらに備えているため、このフィルタ１８６の働きにより、空気排出口１６０から排出される空気が清浄化され、入出力インターフェース部１７０に埃がたまることがさらに効果的に抑制されるようになる。
【００５１】
なお、実施形態４に係るプロジェクションテレビ１００ｃにおいては、フィルタ１８６の風上側に風量を確保するための送風ファン１８８が設けられているが、風量が十分である場合には、送風ファン１８８を設けることを要しない。
【００５２】
〔実施形態５〕
図６は、実施形態５に係るプロジェクションテレビ１００ｄを説明するために示す図である。図６（ａ）はプロジェクションテレビ１００ｄの要部を示す背面図であり、図６（ｂ）は図６（ａ）のＡ５−Ａ５断面図である。
【００５３】
実施形態５に係るプロジェクションテレビ１００ｄ（図示せず。）は、図６に示すように、基本的には実施形態２に係るプロジェクションテレビ１００ａと同様の構成を有しているが、空気排出口１６０から排出される空気に含まれる電荷を少なくする除電装置１９０をさらに備えている点で、実施形態２に係るプロジェクションテレビ１００ａの場合とは異なっている。
【００５４】
除電装置１９０は、図６（ｂ）に示すように、空気排出口１６０の開口部近傍に設けられている。
【００５５】
このように、実施形態５に係るプロジェクションテレビ１００ｄは、空気排出口１６０から排出される空気に含まれる電荷を少なくする除電装置１９０をさらに備えている点で、実施形態２に係るプロジェクションテレビ１００ａの場合とは異なるが、実施形態２に係るプロジェクションテレビ１００ａの場合と同様に、空気排出口１６０は、入出力インターフェース部１７０に向けて空気が排出される位置に設けられているため、入出力インターフェース部１７０は、プロジェクションテレビ１００ｄを使用するたびに空気排出口１６０から排出される空気に曝されるようになる。このため、実施形態２に係るプロジェクションテレビ１００ａの場合と同様に、入出力インターフェース部１７０に埃がたまることが抑制され、入出力インターフェース部１７０における接触不良やさびの発生を抑制することが可能になる。
【００５６】
また、実施形態５に係るプロジェクションテレビ１００ｄは、空気排出口１６０から排出される空気に含まれる電荷を少なくする除電装置１９０をさらに備えているため、この除電装置１９０の働きにより、入出力インターフェース部１７０における静電気の発生が抑制されるようになるため、さらには入出力インターフェース部１７０において既に静電気が発生していたとしてもその静電気が除去されるようになるため、入出力インターフェース部１７０に埃がたまることがさらに効果的に抑制されるようになる。
【００５７】
〔実施形態６〕
図７は、実施形態６に係るＣＲＴテレビ２００を説明するために示す図である。図７（ａ）はＣＲＴテレビ２００の正面図であり、図７（ｂ）は図７（ａ）のＡ６−Ａ６断面図である。
【００５８】
本発明の表示装置としてのＣＲＴテレビ２００は、図７に示すように、表示部本体としてのＣＲＴ２２０と、外部から空気を取り入れるための空気取入口２５０及び外部に空気を排出するための空気排出口２６０を有しＣＲＴ２２０を冷却するための冷却装置（図示せず。）と、空気排出口２６０から排出される空気に含まれる電荷を少なくする除電装置２９０とを備えるＣＲＴテレビである。
【００５９】
除電装置２９０は、図７（ｂ）に示すように、空気排出口２６０の開口部近傍に設けられている。
【００６０】
実施形態６に係るＣＲＴテレビ２００においては、図７に示すように、空気排出口２６０は、ＣＲＴ２２０の表示面２４０に向けて空気が排出されるように構成されている。
また、空気排出口２６０とＣＲＴ２２０の表示面２４０との間には、空気排出口２６０から排出される空気を表示面２４０に向けて導くための導流手段２８０が設けられている。
導流手段２８０は、図７（ｂ）に示すように、空気排出口２６０から排出される空気を、下方方向に向けて折り曲げて、表示面２４０に向けて導く。
【００６１】
このため、実施形態６に係るＣＲＴテレビ２００によれば、ＣＲＴ２２０の表示面２４０は、ＣＲＴテレビ２００を使用するたびに空気排出口２６０から排出される空気に曝されるようになるため、表示面２４０に埃が付着することが抑制され、表示品質が向上する。
【００６２】
以上、本発明の表示装置を上記の各実施形態に基づいて説明したが、本発明は上記の各実施形態に限定されるものではなく、その要旨を逸脱しない範囲において種々の態様において実施することが可能であり、例えば次のような変形も可能である。 
【００６３】
上記実施形態１〜５においては、表示装置がプロジェクションテレビである場合を例にして説明したが、本発明はこれに限定されるものではなく、液晶テレビ、プラズマテレビ、ＣＲＴテレビである場合にも同様に適用できる。
【００６４】
上記実施形態６においては、表示装置がＣＲＴテレビである場合を例にして説明したが、本発明はこれに限定されるものではなく、プロジェクションテレビ、液晶テレビ、プラズマテレビである場合にも同様に適用できる。
【００６５】
上記実施形態１〜５のプロジェクションテレビ１００〜１００ｄにおいては、表示部本体として液晶装置を用いたプロジェクションユニット１２０を用いたが、本発明はこれに限定されるものではなく、表示部本体としてマイクロミラーなどの他の電気光学変調装置を用いたプロジェクションユニットを用いることも可能である。
【００６６】
上記実施形態１〜５のプロジェクションテレビ１００〜１００ｄにおいては、入出力インターフェース部１７０が筐体１１０の背面に設けられているものを例にして説明したが、本発明はこれに限定されるものではなく、入出力インターフェース部が筐体の側面、正面又は上面に設けられているものである場合にも同様に適用できる。
【図面の簡単な説明】
【００６７】
【図１】実施形態１に係るプロジェクションテレビ１００を説明するために示す図。
【図２】実施形態１に係るプロジェクションテレビ１００を説明するために示す図。
【図３】実施形態２に係るプロジェクションテレビ１００ａを説明するために示す図。
【図４】実施形態３に係るプロジェクションテレビ１００ｂを説明するために示す図。
【図５】実施形態４に係るプロジェクションテレビ１００ｃを説明するために示す図。
【図６】実施形態５に係るプロジェクションテレビ１００ｄを説明するために示す図。
【図７】実施形態６に係るＣＲＴテレビ２００を説明するために示す図。
【符号の説明】
【００６８】
１００，１００ａ，１００ｂ，１００ｃ，１００ｄ…プロジェクションテレビ、１１０，２１０…筐体、１２０…プロジェクションユニット、１３０…反射鏡、１４０…スクリーン、１５０，２５０…空気取入口、１６０，２６０…空気排出口、１７０，２７０…入出力インターフェース部、１８０，２８０…導流手段、１８２…放熱スリット、１８４…放熱フィン、１８６…フィルタ、１８８…送風ファン、１９０，２９０…除電装置、２００…ＣＲＴテレビ、２２０…ＣＲＴ、１２２…投写レンズ
【図１】
2006293119.tif 000003
【図２】
2006293119.tif 000004
【図３】
2006293119.tif 000005
【図４】
2006293119.tif 000006
【図５】
2006293119.tif 000007
【図６】
2006293119.tif 000008
【図７】
2006293119.tif 000009